(57)【要約】【課題】海洋を地球規模で利用して自然環境に由来する作業を行うことができ、作業の成果を適宜分配する。【解決手段】海流に乗って浮体構造物１が回遊し、海流から外れたことが位置把握手段（例えば、ＧＰＳシステム）で検出された場合に、移動手段により浮体構造物１を海流に乗せて作業手段での作業（発電等のエネルギー生産、食糧生産、資源開発、水生産、環境修復、防災等）を実施し、制御手段により、作業の成果物（エネルギー、食料、海洋資源等）が海流の経路で（海流に乗った経路で）分配される。【選択図】  図２
2020006765.tif 000002
【特許請求の範囲】
【請求項１】
海上に浮かび海流に乗って回遊する本体と、
前記本体の位置を把握する位置把握手段と、
前記位置把握手段で位置が把握された前記本体を海流の領域に移動させる移動手段と、
前記本体に備えられ前記海流の経路で自然環境に由来する作業を行う作業手段と、
前記作業手段で行われた作業の成果物を前記海流の経路で適宜分配する制御手段とを備えた
ことを特徴とする回遊する浮体構造物。
【請求項２】
請求項１に記載の回遊する浮体構造物において、
前記作業手段は、
再生可能エネルギーにより発電を行う発電手段を有し、
前記移動手段は、前記発電手段で発電された電力により前記本体を前記海流の位置に移動させる
ことを特徴とする回遊する浮体構造物。
【請求項３】
請求項２に記載の回遊する浮体構造物において、
前記作業手段は、
海中の資源を回収する資源回収手段を有する
ことを特徴とする回遊する浮体構造物。
【請求項４】
請求項２もしくは請求項３に記載の回遊する浮体構造物において、
前記作業手段は、
海底部の海水を浮上させて表層近傍の海水温度を低下させる水温調整手段を有する
ことを特徴とする回遊する浮体構造物。
【請求項５】
請求項２から請求項４のいずれか一項に記載の回遊する浮体構造物において、
前記作業手段は、
海水を真水に変換する淡水化手段と、
前記淡水化手段で得られた真水を前記発電手段で発電された電力により分解して、水素と酸素を得る分解手段とを更に有する
ことを特徴とする回遊する浮体構造物。
【請求項６】
請求項５に記載の回遊する浮体構造物において、
前記作業手段は、
前記分解手段で分解された酸素を海中に投入して海水の溶存酸素を調整する環境修復手段を更に有する
ことを特徴とする回遊する浮体構造物。
【請求項７】
請求項５もしくは請求項６に記載の回遊する浮体構造物において、
前記作業手段は、
前記淡水化手段で得られた水を用いて作物を育てる作物生産手段とを更に有する
ことを特徴とする回遊する浮体構造物。
【請求項８】
海上に浮かび海流に乗って回遊する本体と、
前記本体の位置を把握する位置把握手段と、
前記位置把握手段で把握された前記本体の位置を海流の位置に移動させる移動手段と、
前記本体に備えられ、前記海流の経路で自然環境に由来する作業を行う作業手段と、
前記作業手段で行われた作業の成果物を前記海流の経路で適宜分配する制御手段とを備え、
前記作業手段は、
再生可能エネルギーにより発電を行う発電手段と、
海中の資源を回収する資源回収手段と、
海水を真水に変換する淡水化手段と、
前記淡水化手段で得られた真水を前記発電手段で発電された電力により分解して、水素と酸素を得る分解手段と、
前記分解手段で分解された酸素を海中に投入して海水の溶存酸素を調整する環境修復手段と、
前記淡水化手段で得られた真水を用いて作物を育てる作物生産手段と、
海底部の海水を浮上させて表層近傍の海水温度を低下させる水温調整手段とを有し、
前記移動手段、前記制御手段、前記発電手段、前記資源回収手段、前記淡水化手段、前記分解手段、前記環境修復手段、前記水温調整手段の制御を統括して行う中央制御手段を備え、
前記中央制御手段は、
前記本体の位置を監視し、前記発電手段の駆動を調整し、前記本体の位置に応じて前記資源回収手段により海中の資源を回収する指令を与え、前記淡水化手段で真水を得る指令を与える一方、
前記本体の位置が海流から逸脱した際に、前記発電手段で発電された電力により前記本体を前記海流の位置に移動させる、もしくは、前記分解手段で分解された前記水素により前記本体を前記海流の位置に移動させると共に、
前記淡水化手段で得られた真水を作物に供給し、
溶存酸素を高める必要がある海域において分解手段で分解された酸素を海中に投入する一方、前記水温調整手段により台風の発生が予想される海域の海水温度を調整し、
更に、前記制御手段に指令を与え、
前記発電手段で得られた電力、前記淡水化手段で得られた真水、前記分解手段で得られた水素と酸素、前記作物生産手段で育てられた作物、前記資源回収手段で回収された資源を、海流の経路に沿った所望の地域で分配する、
ことを特徴とする浮体構造物による回遊システム。
【発明の詳細な説明】
【技術分野】
【０００１】
本発明は、海流に乗って回遊する浮体構造物、及び、浮体構造物による回遊システムに関する。
【背景技術】
【０００２】
海上に人工の浮体構造物（人工島）を構築し、浮体構造物に太陽光発電設備や風力発電設備、潮流発電設備を備える技術が従来から提案されている（特許文献１）。人工島を用いて発電等を行うことで、再生エネルギーを用いたエネルギー生産（発電）を比較的容易に行うことができる。
【０００３】
海上に人工島を構築した場合、漁業事業者に対する影響、環境への影響等が考えられるため、普及には限界があるのが現状であった。また、領土の問題が生じる虞があり、生産されたエネルギーは国内で消費されるに過ぎないのが現状であった。このため、地球規模で考えた場合、海洋を利用したエネルギーの生産や食糧の生産、資源の開発等は、多くの技術を適用することができる余地があるのが実情である。
【先行技術文献】
【特許文献】
【０００４】
【特許文献１】特開２０１１−２３０７４６号公報
【発明の概要】
【発明が解決しようとする課題】
【０００５】
本発明は上記状況に鑑みてなされたもので、海洋を地球規模で利用して自然環境に由来する作業を行い、作業の成果を適宜分配することができる回遊する浮体構造物、及び、浮体構造物による回遊システムを提供することを目的とする。
【課題を解決するための手段】
【０００６】
上記目的を達成するための請求項１に係る本発明の回遊する浮体構造物は、海上に浮かび海流に乗って回遊する本体と、前記本体の位置を把握する位置把握手段と、前記位置把握手段で位置が把握された前記本体を海流の領域に移動させる移動手段と、前記本体に備えられ前記海流の経路で自然環境に由来する作業を行う作業手段と、前記作業手段で行われた作業の成果物を前記海流の経路で適宜分配する制御手段とを備えたことを特徴とする。
【０００７】
請求項１に係る本発明では、海流に乗って本体が回遊し、海流から外れたことが位置把握手段（例えば、ＧＰＳシステム）で検出された場合に、移動手段により本体を海流に乗せて作業手段での作業（発電等のエネルギー生産、食糧生産、資源開発、水生産、環境修復、防災等）を実施し、制御手段により、作業の成果物（エネルギー、食料、海洋資源等）が海流の経路で（海流に乗った経路で）分配される。
【０００８】
このため、海洋を地球規模で利用して自然環境に由来する作業を行い、作業の成果を適宜分配することが可能になる。
【０００９】
本願発明の浮体構造物は、海流に乗って回遊する本体として、作業を行う手段が備えられた複数の作業本体で構成され、構造物の全体の概要の状態として、複数のウミガメ（作業本体）が集団となった状態（本体）で、複数のウミガメが海流に乗って回遊するウミガメの集合体（CARETTA CLUSTER）のイメージとなる。
【００１０】
そして、請求項２に係る本発明の回遊する浮体構造物は、請求項１に記載の回遊する浮体構造物において、前記作業手段は、再生可能エネルギーにより発電を行う発電手段を有し、前記移動手段は、前記発電手段で発電された電力により前記本体を前記海流の位置に移動させることを特徴とする。
【００１１】
請求項２に係る本発明では、発電手段により、再生可能エネルギー、例えば、太陽光で発電を行い（エネルギー生産）、本体が海流から外れた（外れそうになった）際には、発電手段で得られた電力により移動手段を駆動して本体を海流の領域に移動させる。
【００１２】
また、請求項３に係る本発明の回遊する浮体構造物は、請求項２に記載の回遊する浮体構造物において、前記作業手段は、海中の資源を回収する資源回収手段を有することを特徴とする。
【００１３】
請求項３に係る本発明では、資源回収手段により海中の資源を回収することができる（資源開発）。資源回収手段としては、海水から金属を捕集して回収する手段、海底下のメタンハイドレードを回収する手段、海洋の資源を探索する手段等を適用することができる。回収（開発）された資源は、本体が海流に乗って移動する過程で、必要な地域に分配される。
【００１４】
また、請求項４に係る本発明の回遊する浮体構造物は、請求項２もしくは請求項３に記載の回遊する浮体構造物において、前記作業手段は、海底部の海水を浮上させて表層近傍の海水温度を低下させる水温調整手段を有することを特徴とする。
【００１５】
請求項４に係る本発明では、表層の海水温度が高くなって台風の発生が予測される状態で、深海の海水を浮上させて表層の水温を台風が発生しない温度に調整し（低下させ）、台風の発生を抑制する。
【００１６】
また、請求項５に係る本発明の回遊する浮体構造物は、請求項２から請求項４のいずれか一項に記載の回遊する浮体構造物において、前記作業手段は、海水を真水に変換する淡水化手段と、前記淡水化手段で得られた真水を前記発電手段で発電された電力により分解して、水素と酸素を得る分解手段とを更に有することを特徴とする。
【００１７】
請求項５に係る本発明では、淡水化手段と、淡水化手段で得られた真水を電気分解して水素と酸素を得る分解手段を有することで、海水からの真水の生産（水生産）、燃料の生産、酸素の生産を行うことができる。生産された真水、燃料、酸素は、本体が海流に乗って移動する過程で、必要な地域に分配される。
【００１８】
また、請求項６に係る本発明の回遊する浮体構造物は、請求項５に記載の回遊する浮体構造物において、前記作業手段は、前記分解手段で分解された酸素を海中に投入して海水の溶存酸素を調整する環境修復手段を更に有することを特徴とする。
【００１９】
請求項６に係る本発明では、環境修復手段により、分解手段で得られた酸素を海中に投入することで、投入した領域の海水の溶存酸素濃度を調整することができる。
【００２０】
また、請求項７に係る本発明の回遊する浮体構造物は、請求項５もしくは請求項６に記載の回遊する浮体構造物において、前記淡水化手段で得られた真水を用いて作物を育てる作物生産手段とを更に有することを特徴とする。
【００２１】
請求項７に係る本発明では、淡水化手段で得られた真水を用いて、作物生産手段により作物を育てることができる（食糧生産）。育てられた作物は、本体が海流に乗って移動する過程で、必要な地域に分配される。
【００２２】
上記目的を達成するための請求項８に係る本発明の浮体構造物による回遊システムは、海上に浮かび海流に乗って回遊する本体と、前記本体の位置を把握する位置把握手段と、前記位置把握手段で把握された前記本体の位置を海流の位置に移動させる移動手段と、前記本体に備えられ、前記海流の経路で自然環境に由来する作業を行う作業手段と、前記作業手段で行われた作業の成果物を前記海流の経路で適宜分配する制御手段とを備え、
前記作業手段は、
再生可能エネルギーにより発電を行う発電手段と、海中の資源を回収する資源回収手段と、海水を真水に変換する淡水化手段と、前記淡水化手段で得られた真水を前記発電手段で発電された電力により分解して、水素と酸素を得る分解手段と、前記分解手段で分解された酸素を海中に投入して海水の溶存酸素を調整する環境修復手段と、前記淡水化手段で得られた真水を用いて作物を育てる作物生産手段と、海底部の海水を浮上させて表層近傍の海水温度を低下させる水温調整手段とを有し、
前記移動手段、前記制御手段、前記発電手段、前記資源回収手段、前記淡水化手段、前記分解手段、前記環境修復手段、前記水温調整手段の制御を統括して行う中央制御手段を備え、
前記中央制御手段は、
前記本体の位置を監視し、前記発電手段の駆動を調整し、前記本体の位置に応じて前記資源回収手段により海中の資源を回収する指令を与え、前記淡水化手段で真水を得る指令を与える一方、前記本体の位置が海流から逸脱した際に、前記発電手段で発電された電力により前記本体を前記海流の位置に移動させる、もしくは、前記分解手段で分解された前記水素により前記本体を前記海流の位置に移動させると共に、前記淡水化手段で得られた真水を作物に供給し、溶存酸素を高める必要がある海域において分解手段で分解された酸素を海中に投入する一方、前記水温調整手段により台風の発生が予想される海域の海水温度を調整し、
更に、前記制御手段に指令を与え、
前記発電手段で得られた電力、前記淡水化手段で得られた真水、前記分解手段で得られた水素と酸素、前記作物生産手段で育てられた作物、前記資源回収手段で回収された資源を、海流の経路に沿った所望の地域で分配する、ことを特徴とする。
【００２３】
請求項８に係る本発明では、海流に乗って本体が回遊し、海流から外れたことが位置把握手段（例えば、ＧＰＳシステム）で検出された場合に、移動手段により本体を海流に乗せて作業手段での作業（発電等のエネルギー生産、食糧生産、資源開発、水生産、環境修復、防災等）が実施される。
そして、発電手段により、再生可能エネルギー、例えば、太陽光で発電を行い（エネルギー生産）、本体が海流から外れた（外れそうになった）際には、発電手段で得られた電力により移動手段を駆動して本体を海流の領域に移動させる。
また、資源回収手段により海中の資源を回収し、例えば、深海の海水を浮上させる手段等で一時的に水温を調整し、台風の発生を抑制する（防災）。
また、淡水化手段と、淡水化手段で得られた真水を電気分解して水素と酸素を得る分解手段を有することで、海水からの真水の生産（水生産）、燃料の生産、酸素の生産を行うことができ、環境修復手段により、分解手段で得られた酸素を海中に投入することで、投入した領域の海水の溶存酸素濃度を調整することができる。更に、淡水化手段で得られた真水を用いて、作物生産手段により作物を育てることができる（食糧生産）。
中央制御手段による制御により、
本体の位置が監視され、発電手段の駆動が調整され、本体の位置に応じて資源回収手段により海中の資源を回収する指令が与えられ、淡水化手段で真水を得る指令が与えられ、本体の位置が海流から逸脱した際に、発電手段で発電された電力により本体を海流の領域に移動させられる、もしくは、分解手段で分解された水素により本体を海流の領域に移動させられると共に、淡水化手段で得られた真水が作物に供給され、溶存酸素を高める必要がある海域において分解手段で分解された酸素が海中に投入され、台風の発生が予想される海域の海水温度が調整され、更に、制御手段に指令が与えられ、発電手段で得られた電力、淡水化手段で得られた真水、作物生産手段で育てられた作物、資源回収手段で回収された資源が、海流の経路に沿った所望の地域で分配される。
【発明の効果】
【００２４】
本発明の回遊する浮体構造物、及び、浮体構造物による回遊システムは、海洋を地球規模で利用して自然環境に由来する作業を行い、作業の成果を適宜分配することが可能になる。
【図面の簡単な説明】
【００２５】
【図１】本発明の一実施例に係る浮体構造物による回遊システムの概略を説明する全体図である。
【図２】本発明の一実施例に係る浮体構造物の全体の状況を説明する概略図である。
【図３】作業手段（発電手段）が備えられた浮体構造物を説明する概略図である。
【図４】作業手段（淡水化手段）が備えられた浮体構造物を説明する概略図である。
【図５】作業手段（分解手段、及び、修復手段）が備えられた浮体構造物を説明する概略図である。
【図６】作業手段（作物生産手段）が備えられた浮体構造物を説明する概略図である。
【図７】作業手段（資源回収手段、及び、防災手段）が備えられた浮体構造物を説明する概略図である。
【図８】中央制御手段の機能を説明するブロック構成図である。
【発明を実施するための形態】
【００２６】
図１には本発明の一実施例に係る浮体構造物が回遊する世界の海流の例を説明する図、図２には本発明の一実施例に係る浮体構造物の全体の状況を説明する概略構成を示してある。
【００２７】
図１に示すように、例えば、北半球における環太平洋の領域には、黒潮、対馬海流、親潮、亜寒帯海流、亜寒帯循環、黒潮続流、亜熱帯還流、カリフォルニア海流、北赤道海流といった海流が存在し、本発明の浮体構造物１は、海流を回遊して作業手段での作業（発電等のエネルギー生産、食糧生産、資源開発、水生産、環境修復、防災等）を実施し、制御手段により、作業の成果物（エネルギー、食料、海洋資源等）が海流の経路で（海流に乗った経路で）分配される。
【００２８】
浮体構造物１は、海流に乗って回遊する本体として、作業を行う手段が備えられた複数の作業本体で構成され、構造物の全体の概要の状態として、複数のウミガメ（作業本体）が集団となった状態（本体）で、複数のウミガメが海流に乗って回遊するウミガメの集合体（CARETTA CLUSTER）のイメージとなる。
【００２９】
図２に基づいて浮体構造物１を具体的に説明する。
【００３０】
浮体構造物１は、本体として作業を行う手段が備えられた複数（６体）の作業本体２Ａ、２Ｂ、２Ｃ、２Ｄ、２Ｅ、２Ｆで構成されている。作業本体２Ａには、本体の位置を把握する位置把握手段として、ＧＰＳ衛星３からの信号を受信する受信手段４が備えられている。そして、作業本体２Ａには、位置把握手段で本体が海流から外れたことが検出された場合に、本体を海流の領域に移動させる移動手段としての推進手段５が備えられている。
【００３１】
作業本体２Ｂ、２Ｃ、２Ｄ、２Ｅ、２Ｆは、作業本体２Ａに結合されて浮体構造物１としての集合体が形成され、複数の作業本体２が海流に乗って回遊する集合体となっている。作業本体２Ｂ、２Ｃ、２Ｄ、２Ｅ、２Ｆには、海流の経路で自然環境に由来する作業を行う作業手段が備えられ、作業手段で行われた作業の成果物が海流の経路で適宜分配される。
【００３２】
作業本体２Ａには制御手段が備えられ、制御手段６により作業手段で行われた作業の成果物の分配が制御される。そして、作業本体２Ａには中央制御手段７が備えられ、中央制御手段７により、推進手段５の制御を始め、作業本体２Ｂ、２Ｃ、２Ｄ、２Ｅ、２Ｆの統合的な制御（制御手段の制御を含む）が実施される。
【００３３】
例えば、作業手段での作業（発電等のエネルギー生産、食糧生産、資源開発、水生産、環境修復、防災等）が実施され、制御手段６により、作業の成果物（エネルギー、食料、海洋資源等）が海流の経路で（海流に乗った経路で）分配される。
【００３４】
図３から図７に基づいて作業本体２Ｂ、２Ｃ、２Ｄ、２Ｅ、２Ｆを具体的に説明する。
【００３５】
図３には作業手段として発電にエネルギー生産を行う作業本体２Ｂの概略構成、図４には作業手段として淡水化による水生産を行う作業本体２Ｃの概略構成、図５には作業手段として水の電気分解を行って環境修復、及び、エネルギー生産を行う作業本体２Ｄの概略構成、図６には作業手段として人工の栽培設備で食糧生産を行う作業本体２Ｅの概略構成、図７には作業手段として資源開発、防災を行う作業本体２Ｆの概略構成を示してある。
【００３６】
＜作業本体２Ｂ＞
図３に示すように、作業本体２Ｂには、再生可能エネルギーにより発電を行う発電手段としての太陽光パネル１１が多数備えられ、太陽光パネル１１で発電した電力を調整する発電制御手段１２が備えられている。作業本体２Ｂで得られた電気エネルギー（電力）は、出力部１３から所望の電気負荷の部位に送られると共に、後述する電気分解手段に送られる。
【００３７】
出力部１３から送られる電力は、浮体構造物１で消費される光源、熱源、動力源（例えば、推進手段５の動力源）等の電力として使用される。また、海流を移動する経路の途中で分配される電力としても適用される。
【００３８】
発電手段としては、風力発電手段、潮力発電手段等、再生可能エネルギー発電手段を適宜適用することができる。
【００３９】
＜作業本体２Ｃ＞
図４に示すように、作業本体２Ｃには、海水を真水に変換する淡水化手段としての淡水化装置１５が備えられている。淡水化装置１５には、取水部１６から海水が取り入れられ、取り入れられた海水は、例えば、加圧・ろ過されたり、蒸留されたりして真水に変換される（水生産）。生産された真水は、供給部１７から所望の供給部位に送られる。
【００４０】
淡水化装置１５で必要とされるエネルギー（水生産に必要なエネルギー）は、例えば、作業本体２Ｂ（図３参照）で発電された電力により賄われる。
【００４１】
供給部１７から供給される真水は、浮体構造物１で消費される真水（例えば、後述する電気分解のための水や食糧生産のための水、人の生活水）等として使用される。また、海流を移動する経路の途中で分配される真水としても適用される。
【００４２】
＜作業本体２Ｄ＞
図５に示すように、作業本体２Ｄには、作業本体２Ｂ（図３参照）で発電された電力が送られる電気入力部２１と、作業本体２Ｃ（図４参照）の淡水化装置１５（図４参照）で得られた真水が送られる水取り入れ部２２が備えられている。作業本体２Ｄには、水取り入れ部２２から取り入れられた真水を電気入力部２１からの電力により電気分解することで、Ｈ２とＯ２を得る分解手段としての電気分解装置２３が備えられている。
【００４３】
電気分解装置２３で得られたＨ２は、例えば、燃料として貯留されたり、浮体構造物１で消費される燃料として使用されたりする。電気分解装置２３で得られたＯ２は、所望の海域で海中に投入されて溶存酸素が調整される（環境修復手段）。また、海流を移動する経路の途中で分配されるＨ２、Ｏ２としても適用される。
【００４４】
＜作業本体２Ｅ＞
図６に示すように、作業本体２Ｅには、作業本体２Ｃ（図４参照）の淡水化装置１５（図４参照）で得られた真水が送られる作物水取り入れ部２５が備えられている。作業本体２Ｅには、作物水取り入れ部２５から取り入れられた真水を用いて野菜等の作物を栽培する作物生産手段としての作物生産設備２６が備えられている。作物生産手段としては、食物となる魚介類の養殖等を行う設備を適用することも可能である。
【００４５】
作物生産設備２６で生産された（育てられた）作物（食物）は、出荷口２７から出荷される。例えば、海流を移動する経路の途中で必要な場所に出荷される。
【００４６】
＜作業本体２Ｆ＞
図７に示すように、作業本体２Ｆには、海中の資源（金属）を回収する資源回収手段としての金属捕捉手段３１が備えられている。また、海底下のメタンハイドレードを回収する資源回収手段としてのメタンハイドレード回収装置３２が備えられている。資源回収手段としては、海洋の資源を探索する手段等を適用することができる。
【００４７】
金属捕捉手段３１、メタンハイドレード回収装置３２で回収された（開発された）資源は、例えば、海流を移動する経路の途中で必要とされている場所に分配される。
【００４８】
また、図７に示すように、作業本体２Ｆには、海底部の海水を浮上させて表層近傍の海水温度を低下させる水温調整手段としての海水循環設備３３が備えられている。海水温度が高くなって台風の発生が予測される海域において、海水循環設備３３により海底部の海水を浮上させて表層近傍の海水温度を低下させ、表層の水温を台風が発生しない温度に調整し（低下させ）、台風の発生が抑制される（防災）。
【００４９】
図８に基づいて中央制御手段７での動作の全体の状況を具体的に説明して本発明の浮体構造物による回遊システムを説明する。図８には中央制御手段７の機能を説明するブロック構成を示してある。
【００５０】
図３から図７を例に具体的に説明したように、浮体構造物１は、作業手段として、再生可能エネルギーにより発電を行う発電手段と、海中の資源を回収する資源回収手段と、海水を真水に変換する淡水化手段と、前記淡水化手段で得られた水を前記発電手段で発電された電力により分解して、水素と酸素を得る分解手段と、前記分解手段で分解された酸素を海中に投入して海水の溶存酸素を調整する環境修復手段と、前記淡水化手段で得られた真水、もしくは、海水を蒸発した水を用いて作物を育てる作物生産手段と、海底部の海水を浮上させて表層近傍の海水温度を低下させる水温調整手段を備えている。
【００５１】
そして、図８に示すように、移動手段、制御手段、発電手段、資源回収手段、淡水化手段、分解手段、環境修復手段、作物生産手段、水温調整手段の制御を統括して行う中央制御手段７が備えられている。
【００５２】
中央制御手段７からは、浮体構造物１（本体）の位置を監視し、発電手段の駆動を調整し、浮体構造物１の位置に応じて資源回収手段により海中の資源を回収する指令が与えられ、淡水化手段で真水を得る指令が与えられる。
【００５３】
また、中央制御手段７からの指令により、浮体構造物１の位置が海流から逸脱した際に、発電手段で発電された電力により、もしくは、分解手段での電気分解で得られたＨ２を燃料として、駆動源が駆動され、浮体構造物１が海流の位置に移動される。
【００５４】
また、中央制御手段７からの指令により、淡水化手段で得られた真水が作物に供給され、溶存酸素を高める必要がある海域において分解手段での電気分解で得られたＯ２が海中に投入される。また、水温調整手段により台風の発生が予想される海域の海水温度が調整される。
【００５５】
更に、中央制御手段７から制御手段６に指令が与えられ、発電手段で得られた電力、淡水化手段で得られた真水、分解手段で得られたＨ２とＯ２、作物生産手段で育てられた作物、資源回収手段で回収された資源が、海流の経路に沿った所望の地域で分配される。
【００５６】
このため、浮体構造物１が海流に乗って回遊し、海流から外れたことが位置把握手段（例えば、ＧＰＳシステム）で検出された場合に、移動手段（推進手段５）により浮体構造物１を海流に乗せることができる。つまり、発電手段により、再生可能エネルギー、例えば、太陽光で発電が行われ（エネルギー生産）、浮体構造物１が海流から外れた（外れそうになった）際には、発電手段で得られた電力（電気分解で得られたＨ２）により移動手段が駆動されて浮体構造物１が海流の領域に移動する。
【００５７】
そして、中央制御手段７からの指令により、作業手段での作業（発電等のエネルギー生産、食糧生産、資源開発、水生産、環境修復、防災等）を実施することができる。
【００５８】
即ち、資源回収手段により海中の資源が回収され、例えば、深海の海水を浮上させる手段等で一時的に水温を調整し、台風の発生を抑制することができる（防災）。また、淡水化手段と淡水化手段で得られた真水を電気分解してＨ２とＯ２を得る分解手段とを有することで、海水からの真水の生産（水生産）、燃料の生産、Ｏ２の生産を行うことができ、環境修復手段により、分解手段で得られたＯ２を海中に投入することで、投入した領域の海水の溶存酸素濃度を調整することができる。更に、淡水化手段で得られた真水を用いて、作物生産手段により作物を育てることができる（食糧生産）。
【００５９】
上述したように、浮体構造物による回遊システムでは、中央制御手段７による制御により、浮体構造物１の位置が監視され、発電手段の駆動が調整され、浮体構造物１の位置に応じて資源回収手段により海中の資源を回収する指令が与えられ、淡水化手段で真水を得る指令が与えられ、浮体構造物１の位置が海流から逸脱した際に、発電手段で発電された電力により浮体構造物１が海流の領域に移動される。
【００６０】
そして、中央制御手段７による制御により、淡水化手段で得られた真水が作物に供給され、溶存酸素を高める必要がある海域において分解手段で分解されたＯ２が海中に投入され、台風の発生が予想される海域の海水温度が調整され、更に、制御手段６に指令を与えられて、発電手段で得られた電力、淡水化手段で得られた真水、作物生産手段で育てられた作物、資源回収手段で回収された資源が、海流の経路に沿った所望の地域で分配される。
【００６１】
このように、浮体構造物１を海流に乗せて回遊させることで、発電等のエネルギー生産、食糧生産、資源開発、水生産、環境修復、防災等のそれぞれの作業を、移動中に任意の場所で実施することができる。このため、所望の場所（地域）で発電等のエネルギー生産、食糧生産、資源開発、水生産、環境修復、防災等を実施し、所望の場所（地域）に発電等のエネルギー生産、食糧生産、資源開発、水生産、環境修復、防災等の成果物を配分することができる。
【００６２】
これにより、発電等のエネルギー生産、食糧生産、資源開発、水生産、環境修復、防災等の製造設備を一つの地域に固定して構築する必要がなくなる。そして、電力等のエネルギー生産、食糧生産、資源開発、水生産、環境修復、防災等の成果物を搬送する輸送機器や輸送設備等の大規模なインフラを整備する必要がなくなる。
【００６３】
この結果、回遊する浮体構造物、及び、浮体構造物による回遊システムを用いることで、海洋を地球規模で利用して自然環境に由来する作業を行うことができ、作業の成果を適宜分配することが可能になる。
【産業上の利用可能性】
【００６４】
本発明は、回遊する浮体構造物、及び、浮体構造物による回遊システムの産業分野で利用することができる。
【符号の説明】
【００６５】
１  浮体構造物
２  作業本体
３  衛星
４  受信手段
５  推進手段
６  制御手段
７  中央制御手段
１１  太陽光パネル
１２  発電制御手段
１３  出力部
１５  淡水化装置
１６  取水部
１７  供給部
２１  電気入力部
２２  水取り入れ部
２３  電気分解装置
２５  作物水取り入れ部
２６  作物生産設備
２７  出荷口
３１  金属捕捉手段
３２  メタンハイドレード回収装置
３３  海水循環設備
【図１】
2020006765.tif 000003
【図２】
2020006765.tif 000004
【図３】
2020006765.tif 000005
【図４】
2020006765.tif 000006
【図５】
2020006765.tif 000007
【図６】
2020006765.tif 000008
【図７】
2020006765.tif 000009
【図８】
2020006765.tif 000010